(57)【要約】【課題】足踏み式健康機全体の見栄えを向上することができ、足踏み式健康機への組合が容易であり、交換が便利である足踏み式健康機用装飾板を提供する。【解決手段】少なくとも一つのベースを有し、前記ベースの両端には、第１横ロッドと、第２横ロッドと、がそれぞれ設けられ、前記第１横ロッドの中段には、上に延びる立設柱が設けられ、前記立設柱のその上端に近接する両側には、枢着軸がそれぞれ設けられ、前記二つの枢着軸には、減衰効果を発生するペダルが枢着される足踏み式健康機用装飾板において、前記ベースの前記立設柱に装飾板が配され、前記装飾板の上端には、前記立設柱の上端を嵌めるための括りスリーブが設けられ、前記装飾板の下端に挿入片が形成され、前記ベースの前記第１横ロッドの前縁には、前記挿入片を挿入可能なスリーブが形成され、前記スリーブは上へ開口する挿入ポートを有する。【選択図】図１
0003163376.tif 000002
【実用新案登録請求の範囲】
【請求項１】
少なくとも一つのベースを有し、前記ベースの両端には、第１横ロッドと、第２横ロッドと、がそれぞれ設けられ、前記第１横ロッドの中段には、上に延びる立設柱が設けられ、前記立設柱のその上端に近接する両側には、枢着軸がそれぞれ設けられ、前記二つの枢着軸には、減衰効果を発生するペダルが枢着される足踏み式健康機用装飾板において、
前記ベースの前記立設柱に装飾板が配され、前記装飾板の上端には、前記立設柱の上端を嵌めるための括りスリーブが設けられ、前記装飾板の下端に挿入片が形成され、前記ベースの前記第１横ロッドの前縁には、前記挿入片を挿入可能なスリーブが形成され、前記スリーブは上へ開口する挿入ポートを有することを特徴とする、足踏み式健康機用装飾板。
【請求項２】
少なくとも一つのベースを有し、前記ベースの両端には、第１横ロッドと、第２横ロッドと、がそれぞれ設けられ、前記第１横ロッドの中段には、上に延びる立設柱が設けられ、前記立設柱のその上端に近接する両側には、枢着軸がそれぞれ設けられ、前記二つの枢着軸には、減衰効果を発生するペダルが枢着される足踏み式健康機用装飾板において、
前記ベースの前記立設柱に装飾板が配され、前記装飾板の上端に結合部が形成され、前記結合部により前記立設柱に前記装飾板を固定することができることを特徴とする、足踏み式健康機用装飾板。
【請求項３】
前記装飾板の前記結合部は前記立設柱の上端に配される括りスリーブであり、前記装飾板の下端に挿入片が形成され、前記ベースの前記第１横ロッドの前縁には、前記挿入片に対応するスリーブが形成され、前記スリーブは前記挿入片を挿入可能な挿入ポートを有することを特徴とする、請求項２に記載の足踏み式健康機用装飾板。
【請求項４】
前記装飾板の前記結合部は前記立設柱に当接するサイド押え片であり、前記装飾板の前記サイド押え片と、前記装飾板の下端とには、貫通孔が少なくとも一つ設けられ、前記立設柱には、これらの貫通孔に対応する締結穴が形成され、締結具により前記立設柱に前記装飾板を締結することができることを特徴とする、請求項２に記載の足踏み式健康機用装飾板。
【請求項５】
前記装飾板の前記結合部は前記立設柱に対応する係止部であり、前記立設柱には、前記装飾板の前記係止部に対応する別の係止部が設けられ、前記係止部と前記別の係止部により前記立設柱に前記装飾板を係止することができることを特徴とする、請求項２に記載の足踏み式健康機用装飾板。
【考案の詳細な説明】
【技術分野】
【０００１】
本考案は、健康機に関し、特に安全性および美観を同時に有する足踏み式健康機用装飾板に関するものである。
【背景技術】
【０００２】
近年、地球環境の変化により、国民の運動できる場所および時間が少なくなり、このような問題を解決するために、色々の健康機が開発されて市販されるようになっている。心臓病を予防する効果について、少量多回の運動方式は集中的に長時間の運動をする方式と同じであり、国民が何時でも何処でも運動できるようにするために、小型で収納が極めて便利な家庭用健康機が開発され、このような家庭用健康機は、例えば自転車式健康機、ジョギング式健康機、スキー式健康機や足踏み式健康機などがある。
【０００３】
そのうち、最も簡便な足踏み式健康機は、例えば特許文献１の台湾特許第３２４９５４号と特許文献２の台湾特許第３８４７１６号に記載の「足踏み式健康機」である。上記の「足踏み式健康機」は、ベースの両側には、交錯に連動するペダルがそれぞれ水平に枢着され、各ペダルの下に油圧シリンダが設けられ、前記油圧シリンダにより、ユーザがペダルを踏込んでいるときに減衰作用が発生する。前記ペダルが前記ベースの両側に水平に枢着されるため、このような「足踏み式健康機」は、ユーザの両足の下方への交代な踏込みだけを受けることができ、二つのペダルが交錯に上下動になる。
【０００４】
足踏み式健康機の鍛錬効果を増加するために、例えば特許文献３の米国特許第５，６６５，０３３号と特許文献４の台湾特許第Ｍ２７１５９３号に記載の健康機が提案された。このような健康機は、二つのペダルがＹ字形の支持枠に枢着され、二つのペダルのうちの一つを踏込むと、その枢着軸が上向きの上方へ傾斜するため、足踏み力を受けるペダルが下向きの外方へ移動する。なお、他のペダルが上向きの内方へ移動し、ユーザの重心が外側に移動するため、お尻振りによく類似する運動効果を得ることができ、上記の「足踏み式健康機」により運動量も増加する。
【０００５】
また、特許文献５の台湾特許第Ｍ３４３４９９号と特許文献６の台湾特許第Ｍ３５３７５３号に記載の健康機が提案された。このような健康機は、更に、足踏むときの重心を縮小する技術を利用することにより、ユーザに不バランス感を与えてユーザが腰捩り運動をする。そうすると、鍛錬効果が増加する。
【０００６】
しかしながら、上記のような足踏み式健康機は、鍛練効果の向上を強調し、外観が単調すぎるであるため、ユーザが長時間で持続的に運動する意欲を維持することに難点がある。そうすると、鍛錬の目的を達成することができず、消費者の購買欲を引く出すこともできない。
【先行技術文献】
【特許文献】
【０００７】
【特許文献１】台湾特許第３２４９５４号
【特許文献２】台湾特許第３８４７１６号
【特許文献３】米国特許第５，６６５，０３３号
【特許文献４】台湾特許第Ｍ２７１５９３号
【特許文献５】台湾特許第Ｍ３４３４９９号
【特許文献６】台湾特許第Ｍ３５３７５３号
【考案の概要】
【考案が解決しようとする課題】
【０００８】
本考案の主な目的は、足踏み式健康機の前端を覆い、足踏み式健康機の外観に応じる造形が設計され、足踏み式健康機全体の見栄えを向上できる足踏み式健康機用装飾板を提供することにある。
【０００９】
本考案の次の目的は、足踏み式健康機への組合が容易であり、交換が便利である足踏み式健康機用装飾板を提供することにある。
【課題を解決するための手段】
【００１０】
本考案の足踏み式健康機用装飾板によると、少なくとも一つのベースを有し、前記ベースの両端には、第１横ロッドと、第２横ロッドと、がそれぞれ設けられ、前記第１横ロッドの中段には、上に延びる立設柱が設けられ、前記立設柱のその上端に近接する両側には、枢着軸がそれぞれ設けられ、前記二つの枢着軸には、減衰効果を発生するペダルが枢着される足踏み式健康機用装飾板において、前記ベースの前記立設柱に装飾板が配され、前記装飾板の上端には、前記立設柱の上端を嵌めるための括りスリーブが設けられ、前記装飾板の下端に挿入片が形成され、前記ベースの前記第１横ロッドの前縁には、前記挿入片を挿入可能なスリーブが形成され、前記スリーブは上へ開口する挿入ポートを有することを特徴とする。
【００１１】
本考案の足踏み式健康機用装飾板によると、少なくとも一つのベースを有し、前記ベースの両端には、第１横ロッドと、第２横ロッドと、がそれぞれ設けられ、前記第１横ロッドの中段には、上に延びる立設柱が設けられ、前記立設柱のその上端に近接する両側には、枢着軸がそれぞれ設けられ、前記二つの枢着軸には、減衰効果を発生するペダルが枢着される足踏み式健康機用装飾板において、前記ベースの前記立設柱に装飾板が配され、前記装飾板の上端に結合部が形成され、前記結合部により前記立設柱に前記装飾板を固定することができることを特徴とする。
【００１２】
本考案の足踏み式健康機用装飾板によると、前記装飾板の前記結合部は前記立設柱の上端に配される括りスリーブであり、前記装飾板の下端に挿入片が形成され、前記ベースの前記第１横ロッドの前縁には、前記挿入片に対応するスリーブが形成され、前記スリーブは前記挿入片を挿入可能な挿入ポートを有することを特徴とする。
【００１３】
本考案の足踏み式健康機用装飾板によると、前記装飾板の前記結合部は前記立設柱に当接するサイド押え片であり、前記装飾板の前記サイド押え片と、前記装飾板の下端とには、貫通孔が少なくとも一つ設けられ、前記立設柱には、これらの貫通孔に対応する締結穴が形成され、締結具により前記立設柱に前記装飾板を締結することができることを特徴とする。
【００１４】
本考案の足踏み式健康機用装飾板によると、前記装飾板の前記結合部は前記立設柱に対応する係止部であり、前記立設柱には、前記装飾板の前記係止部に対応する別の係止部が設けられ、前記係止部と前記別の係止部により前記立設柱に前記装飾板を係止することができることを特徴とする。
【考案の効果】
【００１５】
本考案の足踏み式健康機用装飾板によれば、足踏み式健康機全体の見栄えを向上することができ、足踏み式健康機への組合が容易であり、交換が便利であるという効果を有する。
【図面の簡単な説明】
【００１６】
【図１】本考案の足踏み式健康機用装飾板の組合済み状態を示す斜視図であって、足踏み式健康機に適用される態様を説明する。
【図２】本考案の足踏み式健康機用装飾板の構造を示す分解斜視図であって、部品の態様とその相対関係を説明する。
【図３】本考案の足踏み式健康機用装飾板の斜視図である。
【図４】本考案の足踏み式健康機用装飾板の組合済み状態を示す斜視図であって、別の足踏み式健康機に適用される態様を説明する。
【図５】本考案の足踏み式健康機用装飾板の組合済み状態を示す斜視図であって、更に別の足踏み式健康機に適用される態様を説明する。
【図６】本考案の実施例２の足踏み式健康機用装飾板の構造を示す斜視図である。
【図７】本考案の実施例３の足踏み式健康機用装飾板の構造を示す斜視図である。
【図８】本考案の実施例４の足踏み式健康機用装飾板の構造を示す斜視図である。
【考案を実施するための形態】
【００１７】
以下、本考案の実施の形態を図面に基づいて説明する。
まず、図１を参照する。本考案の足踏み式健康機は、少なくとも一つのベース１０を有し、ベース１０の両端には、第１横ロッド１１と、第２横ロッド１２と、がそれぞれ設けられ、これにより、ベース１０がエ字形を呈し、全体の安定性が増加する。第１横ロッド１１の中段には、上に延びる立設柱１５が設けられ、立設柱１２には、タイマー、カウンター、又はユーザの手が握り可能な手摺ロッド（図示せず）が配される。立設柱１２のその上端に近接する両側には、枢着軸２０（二つの枢着軸は、図１に示すように、Λ字形を呈してもいいし、図４に示すように、Ｙ字形を呈してもいいし、図５に示すように、Ｔ字形を呈してもよい）がそれぞれ設けられ、二つの枢着軸２０には、減衰効果を発生するペダル３０が枢着される。
【実施例１】
【００１８】
また、図１、図２及び図３を参照する。ベース１０の立設柱１５に装飾板４０が配され、装飾板４０の上端に結合部が形成され、前記結合部は立設柱１５の上端に配される括りスリーブ４１である。装飾板４０の下端に挿入片４２が形成され、ベース１０の第１横ロッド１１の前縁には、挿入片４２に対応するスリーブ１３が形成され、スリーブ１３は挿入片４２を挿入可能な挿入ポート１３０を有する。装飾板４０の両側の外縁は、立設柱１５に合う円弧状縁４５を有する。装飾板４０により、全体の見栄えが向上し、且つ回動具を覆うことができる。装飾板４０は、足踏み式健康機の外観に応じる造形に設計することができる。
【００１９】
次に、本考案の足踏み式健康機用装飾板の使用方法を説明する。図１乃至図３を参照する。まず、ベース１０の第１横ロッド１１のスリーブ１３の挿入ポート１３０に装飾板４０の下端の挿入片４２を挿入するように、足踏み式健康機のベース１０の立設柱１５の上端に装飾板４０の括りスリーブ４１を嵌合し、これにより、ベース１０の立設柱１５の前面に装飾板４０を安定に固定することができる。装飾板４０は、足踏み式健康機の外観に応じる造形に設計することができ、例えば図１に示した「ペンギン」に似る造形が設計され、これにより、消費者の購買欲を引く出すことができ、外観の単調感が低減され、ユーザは長時間で持続的に運動したくなる。
【００２０】
更に、足踏み式健康機を出荷するときには、相違の造形を有する複数の装飾板４０を足踏み式健康機に付けて出荷してもよい。装飾板４０は、括りスリーブ４１と挿入片４２とにより立設柱１５と結合するため、工具を利用せず、相違の造形を有する装飾板４０を便利に交換することができる。
【実施例２】
【００２１】
図６を参照する。第１実施例の第１横ロッド１１のスリーブ１３を利用せず、立設柱１５の前面に本実施例の装飾板４０の挿入片４２を固定することができ、すなわち、本実施例の装飾板４０は、単に括りスリーブ４１により足踏み式健康機の立設柱１５に嵌合して固定することができ、そしてこの前に出荷された旧足踏み式健康機に適用することもできる。
【実施例３】
【００２２】
図７を参照する。本実施例の装飾板４０の上端にある結合部は、立設柱１５の両側面に当接するサイド押え片４６に設計され、装飾板４０の二つのサイド押え片４６と、装飾板４０の下端とには、貫通孔４６０、４７０がそれぞれ設けられ、立設柱１５には、これらの貫通孔４６０、４７０に対応する締結穴１５１、１５２が形成され、締結具４６１、４７１により立設柱１５に装飾板４０を締結することができる。一般の市販しているスクリュードライバーを利用するだけで、立設柱１５に装飾板４０を締結することができるため、極めて便利である。
【実施例４】
【００２３】
図８を参照する。本実施例の装飾板４０の結合部は、立設柱１５に対応する複数の係止部４８（凸出状の係止ブロック、又は凹み状の係止穴）であり、立設柱１５には、装飾板４０の係止部４８に対応する係止部１８（凹み状の係止穴、又は凸出状の係止ブロック）が設けられ、これらの係止部１８、４８により立設柱１５に装飾板４０を係止することができる。
【産業上の利用可能性】
【００２４】
本考案は、足踏み式健康機に適用することができる。
【符号の説明】
【００２５】
１０：ベース、１１：第１横ロッド、１２：第２横ロッド、１３：スリーブ、１５：立設柱、１８：係止部、２０：枢着軸、３０：ペダル、４０：装飾板、４１：括りスリーブ、４２：挿入片、４５：円弧状縁、４６：サイド押え片、４８：係止部、１３０：挿入ポート、１５１：締結穴、１５２：締結穴、４６０：貫通孔、４６１：締結穴、４７０：貫通孔、４７１：締結穴。
【図１】
0003163376.tif 000003
【図２】
0003163376.tif 000004
【図３】
0003163376.tif 000005
【図４】
0003163376.tif 000006
【図５】
0003163376.tif 000007
【図６】
0003163376.tif 000008
【図７】
0003163376.tif 000009
【図８】
0003163376.tif 000010